【手続補正書】
【提出日】平成20年7月16日(2008.7.16)
【手続補正１】
【補正対象書類名】明細書
【補正対象項目名】特許請求の範囲
【補正方法】変更
【補正の内容】
【特許請求の範囲】
【請求項１】  複数の発光部を有する光源手段と、前記複数の発光部から射出された複数の光束を偏向する偏向手段と、前記複数の発光部から射出された複数の光束を前記偏向手段に導く入射光学手段と、前記偏向手段の偏向面にて偏向された複数の光束を被走査面上に結像させる走査光学手段と、前記偏向手段の偏向面にて偏向された複数の光束の一部を検出する同期検出器と、前記偏向手段の偏向面にて偏向された複数の光束の一部を前記同期検出器に導く同期検出用の光学素子と、前記同期検出手段から出力された同期信号を用いて前記被走査面上への前記偏向手段の偏向面にて偏向された複数の光束の走査開始位置のタイミングが決定される走査光学装置であって、
前記光源手段と前記同期検出器は、同一の基板に設けられており、
前記基板は、前記入射光学手段の光軸方向に垂直な面内で回動可能な構造であり、
前記同期検出用の光学素子は、前記基板の回動に同期して回動可能な構造であることを特徴とする走査光学装置。
【請求項２】  前記同期検出器と前記同期検出用の光学素子の間にスリットが設けられており、
前記同期検出用の光学素子の副走査方向の焦点距離をｆ、前記スリットから前記同期検出器までの距離をＷ、前記同期検出用の有効径をＤ、前記基板の回転中心から前記同期検出器までの距離をｄ、前記光源手段の発光部から射出した光束が前記同期検出器に到達するまでの副走査方向の合成の倍率をｍ、前記基板の回転角をθとしたとき、
０．６ｆ＜Ｗ＜０．９ｆ
２ｄ・tanθ（１−ｍ）＜Ｄ
を満たしていることを特徴とする請求項１に記載の走査光学装置。
【請求項３】  請求項１又は２に記載の走査光学装置と、前記被走査面に配置された感光体と、前記走査光学装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項４】  請求項１又は２に記載の走査光学装置と、外部機器から入力したコードデータを画像信号に変換して前記走査光学装置に入力せしめるプリンタコントローラとを有していることを特徴とする画像形成装置。
【手続補正２】
【補正対象書類名】明細書
【補正対象項目名】００１７
【補正方法】変更
【補正の内容】
【００１７】
【課題を解決するための手段】
請求項１の発明の走査光学装置は、複数の発光部を有する光源手段と、前記複数の発光部から射出された複数の光束を偏向する偏向手段と、前記複数の発光部から射出された複数の光束を前記偏向手段に導く入射光学手段と、前記偏向手段の偏向面にて偏向された複数の光束を被走査面上に結像させる走査光学手段と、前記偏向手段の偏向面にて偏向された複数の光束の一部を検出する同期検出器と、前記偏向手段の偏向面にて偏向された複数の光束の一部を前記同期検出器に導く同期検出用の光学素子と、前記同期検出手段から出力された同期信号を用いて前記被走査面上への前記偏向手段の偏向面にて偏向された複数の光束の走査開始位置のタイミングが決定される走査光学装置であって、
前記光源手段と前記同期検出器は、同一の基板に設けられており、
前記基板は、前記入射光学手段の光軸方向に垂直な面内で回動可能な構造であり、
前記同期検出用の光学素子は、前記基板の回動に同期して回動可能な構造であることを特徴としている。
【手続補正３】
【補正対象書類名】明細書
【補正対象項目名】００１８
【補正方法】変更
【補正の内容】
【００１８】
請求項２の発明は請求項１の発明において、前記同期検出器と前記同期検出用の光学素子の間にスリットが設けられており、
前記同期検出用の光学素子の副走査方向の焦点距離をｆ、前記スリットから前記同期検出器までの距離をＷ、前記同期検出用の有効径をＤ、前記基板の回転中心から前記同期検出器までの距離をｄ、前記光源手段の発光部から射出した光束が前記同期検出器に到達するまでの副走査方向の合成の倍率をｍ、前記基板の回転角をθとしたとき、
０．６ｆ＜Ｗ＜０．９ｆ
２ｄ・tanθ（１−ｍ）＜Ｄ
を満たしていることを特徴としている。
【手続補正４】
【補正対象書類名】明細書
【補正対象項目名】００１９
【補正方法】変更
【補正の内容】
【００１９】
請求項３の発明の画像形成装置は、請求項１又は２に記載の走査光学装置と、前記被走査面に配置された感光体と、前記走査光学装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正５】
【補正対象書類名】明細書
【補正対象項目名】００２０
【補正方法】変更
【補正の内容】
【００２０】
請求項４の発明の画像形成装置は、請求項１又は２に記載の走査光学装置と、外部機器から入力したコードデータを画像信号に変換して前記走査光学装置に入力せしめるプリンタコントローラとを有していることを特徴としている。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３５
【補正方法】変更
【補正の内容】
【００３５】
同図において１は光源手段であり、２つの発光点（発光部）１Ａ，１Ｂを有するマルチ半導体レーザ（光源）より成っている。この２つの発光点１Ａ，１Ｂは主走査方向及び副走査方向に対して各々離れて配置されている。
【手続補正１９】
【補正対象書類名】明細書
【補正対象項目名】００４７
【補正方法】変更
【補正の内容】
【００４７】
８は同期検出手段であり、入射光束を制限するスリット（ＢＤスリット）１３、同期検出用の光学素子（同期検出用レンズ）１２、そして同期検出器（ＢＤセンサー）９とを有しており、該同期検出器９で検知して得られた同期信号（ＢＤ信号）を用いて感光ドラム面７上への画像記録の走査開始位置のタイミングを調整（決定）している。
【手続補正２０】
【補正対象書類名】明細書
【補正対象項目名】００９７
【補正方法】変更
【補正の内容】
【００９７】
［画像形成装置］
図５は、前述した実施形態１又は２の走査光学装置を用いた画像形成装置（電子写真プリンタ）の実施形態を示す副走査断面内における要部断面図である。図５において、符号１０４は画像形成装置を示す。この画像形成装置１０４には、パーソナルコンピュータ等の外部機器１１７からコードデータＤｃが入力する。このコードデータＤｃは、装置内のプリンタコントローラ１１１によって、画像データ（ドットデータ）（画像信号）Ｄｉに変換される。この画像データＤｉは、各実施形態１、２で示した構成を有する光走査ユニット１００に入力される。そして、この光走査ユニット（走査光学装置）１００からは、画像データＤｉに応じて変調された光ビーム（光束）１０３が射出され、この光ビーム１０３によって感光ドラム１０１の感光面が主走査方向に走査される。